(57)【要約】【課題】洗浄後の乾燥が容易な容器の提供を目的とする。【解決手段】本発明の容器１０は、上部に開口１０Ａを有する箱形をなし、上下に段積み可能に構成される。容器１０は、外周壁１５の上下の両端部から外側へ張り出す上フランジ部２１と下フランジ部３１を有し、段積み状態のときに、上側の容器１０の下フランジ部３１が下側の容器１０の上フランジ部２１に重ねられると共に、上側の容器１０の底部が下側の容器１０の開口１０Ａに受容されて、下側の容器１０の開口１０Ａが閉塞される。そして、段積み状態のときに、上側の容器１０の下フランジ部３１と下側の容器１０の上フランジ部２１との間に下側の容器１０の内側空間を外部に連通させるための隙間４１が形成される。【選択図】図８
2018122917.tif 000002
【特許請求の範囲】
【請求項１】
上部に開口を有する箱形をなし、上下に段積み可能に構成された容器であって、
側壁の上下の両端部から外側へ張り出す上フランジ部と下フランジ部を有し、段積み状態のときに、上側の容器の前記下フランジ部が下側の容器の前記上フランジ部に重ねられると共に、前記上側の容器の底部が前記下側の容器の前記開口に受容されて、前記下側の容器の前記開口が閉塞される容器において、
前記上フランジ部と前記下フランジ部の少なくとも一方のコーナー部には、前記段積み状態のときに、前記上側の容器の前記下フランジ部と前記下側の容器の前記上フランジ部との間に前記下側の容器の内側空間を外部に連通させるための隙間を形成する隙間形成部が設けられている。
【請求項２】
請求項１に記載の容器において、
前記隙間形成部は、少なくとも前記上フランジ部に設けられている。
【請求項３】
請求項２に記載の容器において、
前記上フランジ部と前記下フランジ部には、前記段積み状態のときに上下方向で凹凸係合する係合突部と係合凹部が設けられ、
前記隙間形成部として、
前記係合突部を水平方向に貫通する第１隙間形成部と、
前記係合凹部から水平方向の外側へ延びて前記係合凹部と前記容器の外部を連通させる第２隙間形成部と、を備えている。
【請求項４】
請求項３に記載の容器において、
前記段積み状態のときに前記第１隙間形成部と前記第２隙間形成部が前記容器の内外方向で重なる。
【請求項５】
請求項１乃至４のうち何れか１の請求項に記載の容器において、
前記側壁のコーナー部の上端部と前記底部のコーナー部とが共にＲ形状をなし、
前記底部のコーナー部のＲが前記側壁のコーナー部の上端部のＲより大きくなっている。
【請求項６】
請求項１乃至５のうち何れか１の請求項に記載の容器において、
前記側壁のコーナー部の内面には、その内面の上側を外方に広げる段差が設けられている。
【発明の詳細な説明】
【技術分野】
【０００１】
本発明は、上下に段積み可能に構成された容器に関する。
【背景技術】
【０００２】
特許文献１には、外周壁の上端部と下端部から上フランジ部と下フランジ部が外側に張り出した容器が記載されている。この容器が上下に段積みされると、上側の容器の下フランジ部が下側の容器の上フランジ部と当接する。
【先行技術文献】
【特許文献】
【０００３】
【特許文献１】実開昭４９−１４４６２７号公報（第６図）
【発明の概要】
【発明が解決しようとする課題】
【０００４】
ところで、上述した容器は、洗浄された後、段積み状態で乾燥される場合がある。しかしながら、この場合、容器の内側に残った水分が乾燥し難いという問題があった。
【０００５】
本発明は、上記事情に鑑みてなされたもので、洗浄後の乾燥が容易な容器の提供を目的とする。
【課題を解決するための手段】
【０００６】
上記目的を達成するためになされた請求項１の発明は、上部に開口を有する箱形をなし、上下に段積み可能に構成された容器であって、側壁の上下の両端部から外側へ張り出す上フランジ部と下フランジ部を有し、段積み状態のときに、上側の容器の前記下フランジ部が下側の容器の前記上フランジ部に重ねられると共に、前記上側の容器の底部が前記下側の容器の前記開口に受容されて、前記下側の容器の前記開口が閉塞される容器において、前記上フランジ部と前記下フランジ部の少なくとも一方のコーナー部には、前記段積み状態のときに、前記上側の容器の前記下フランジ部と前記下側の容器の前記上フランジ部との間に前記下側の容器の内側空間を外部に連通させるための隙間を形成する隙間形成部が設けられている。
【０００７】
請求項２の発明は、請求項１に記載の容器において、前記隙間形成部は、少なくとも前記上フランジ部に設けられている。
【０００８】
請求項３の発明は、請求項２に記載の容器において、前記上フランジ部と前記下フランジ部には、前記段積み状態のときに上下方向で凹凸係合する係合突部と係合凹部が設けられ、前記隙間形成部として、前記係合突部を水平方向に貫通する第１隙間形成部と、前記係合凹部から水平方向の外側へ延びて前記係合凹部と前記容器の外部を連通させる第２隙間形成部と、を備えている。
【０００９】
請求項４の発明は、請求項３に記載の容器において、前記段積み状態のときに前記第１隙間形成部と前記第２隙間形成部が前記容器の内外方向で重なる。
【００１０】
請求項５の発明は、請求項１乃至４のうち何れか１の請求項に記載の容器において、前記側壁のコーナー部の上端部と前記底部のコーナー部とが共にＲ形状をなし、前記底部のコーナー部のＲが前記側壁のコーナー部の上端部のＲより大きくなっている。
【００１１】
請求項６の発明は、請求項１乃至５のうち何れか１の請求項に記載の容器において、前記側壁のコーナー部の内面には、その内面の上側を外方に広げる段差が設けられている。
【発明の効果】
【００１２】
［請求項１の発明］
本発明によれば、容器が複数段積みされたときに、上側の容器の下フランジ部と下側の容器の上フランジ部との間に、下側の容器の内側空間を外部に連通させるための隙間が形成されるので、容器内に残った水分が乾燥しやすくなる。このように、本発明の容器によれば、洗浄後の乾燥が容易となる。
【００１３】
［請求項２の発明］
本発明によれば、段積み状態の容器を回転脱水機にかけたときに、下側の容器内の水分を排出し易くなる。
【００１４】
［請求項３の発明］
本発明では、段積み状態において、下側の容器の開口縁と上側の容器の底部との間に隙間が形成される場合であっても、係合突部と係合凹部の凹凸係合によって上側の容器の下側の容器に対する横ずれを抑制可能となる。しかも、係合突部と係合凹部に形成された第１隙間形成部と第２隙間形成部を介して、段積み状態において下側の容器の内側部分に残る水分を外部に排出することが可能となる。
【００１５】
［請求項４の発明］
本発明では、第１隙間形成部と第２隙間形成部が容器の内外方向で重なるので、容器内の水分をスムーズに排出することが可能となる。
【００１６】
［請求項５の発明］
本発明では、隙間形成部によって形成される隙間へと向かう水分の通り道が拡大されるので、容器内の水分をスムーズに排出することが可能となる。
【００１７】
［請求項６の発明］
本発明によれば、隙間形成部によって形成される隙間へ容器内の水分を誘導し易くなる。また、本発明では、段積み状態のときに下側の容器の開口内に上側の容器の底部が受容される構成であっても、側壁のコーナー部の内面に設けられた段差によって、下側の容器内の水分の通り道を確保することが可能となる。
【図面の簡単な説明】
【００１８】
【図１】第１実施形態に係る容器を上方から見た斜視図
【図２】図１における容器のコーナー部周辺の拡大図
【図３】容器を下方から見た斜視図
【図４】図３における容器のコーナー部周辺の拡大図
【図５】段積みされた容器の斜視図
【図６】段積みされた容器の側断面図
【図７】段積みされた容器をＡ−Ａ面で切断したときの斜視図
【図８】段積みされた容器をＡ−Ａ面で切断したときの側面図
【図９】段積みされた容器のコーナー部を連通溝の延在方向から見た図
【図１０】段積みされた容器をＢ−Ｂ面で切断したときの平面図
【図１１】第２実施形態に係る容器の斜視図
【図１２】段積みされた容器の側断面図
【図１３】他の実施形態に係る容器の側断面図
【図１４】他の実施形態に係る容器の側断面図
【図１５】他の実施形態に係る容器の側断面図
【図１６】他の実施形態に係る容器の側断面図
【発明を実施するための形態】
【００１９】
［第１実施形態］
以下、本発明の第１実施形態を図面に基づいて説明する。図１に示されるように、本実施形態に係る容器１０は、平面視長方形状の底壁１１の外縁部から外周壁１５（本発明の「側壁」に相当する。）が起立した構造になっていて、上部に開口１０Ａを有している。外周壁１５は、上側へ向かうにつれて外側へ広がるように傾斜している。
【００２０】
図１、図３及び図６に示されるように、底壁１１は、主板１２の下面から下方突部１３が突出した構造になっている。下方突部１３は、主板１２の外周部から下方に突出する下端外周壁１３Ａと、下端外周壁１３Ａの内側領域に網目状に張り巡らされた複数の内側補強壁１３Ｂと、で構成されている。
【００２１】
図１に示されるように、外周壁１５の上下の両端部からは、上フランジ部２１と下フランジ部３１が外側に張り出している。また、外周壁１５における上端寄り部分からは、中間フランジ部２２が外側に張り出している。上フランジ部２１と下フランジ部３１は、外周壁１５の周方向全体に亘って形成され、矩形枠状をなしている。中間フランジ部２２は、外周壁１５の４つのコーナー部と長辺部分とに形成されている。上フランジ部２１と中間フランジ部２２と下フランジ部３１は、外周壁１５から突出する第１鉛直リブ１６によって連絡されている。また、上フランジ部２１と中間フランジ部２２は、外周壁１５の上端部から外側に突出する第２鉛直リブ１７によっても連絡されている。
【００２２】
上フランジ部２１における短辺部分の中央部には、持ち手部２３が形成されている。持ち手部２３は、上フランジ部２１の外縁部を下方に陥没させてなる。また、下フランジ部３１の短辺部分には、外縁部が切除されてなる切欠部３１Ｋが設けられている。
【００２３】
上フランジ部２１の内縁部には、上方に突出する上端突部２５が設けられている。上端突部２５は、上フランジ部２１における短辺部分の中央部を除いた部分に形成され、谷部２６を挟んで対向する１対のＵ字状突部２７，２７によって構成されている。上端突部２５の高さは、上述した下方突部１３の下端から下フランジ部３１の下端までの高さよりも低くなっている。
【００２４】
各Ｕ字状突部２７のコーナー部には、上端部が切除されてなる上端切欠部２８が形成されている。言い換えれば、上端切欠部２８は、上フランジ部２１の各コーナー部に設けられている。なお、上端切欠部２８は、下方へ向かうにつれて幅狭になる台形状に形成されている（図２参照）。
【００２５】
図１及び図３に示されるように、下フランジ部３１において上端突部２５に対応する部分には、下方に開放した下端凹部３５が設けられている。詳細には、下フランジ部３１は、下フランジ部３１の内縁部が段付き状に隆起してなる隆起部３２を備え、その隆起部３２の裏側（下側）に下端凹部３５が形成されている。より詳細には、隆起部３２は、下フランジ部３１における短辺部分の中央部を除いた部分に形成され、谷部３３を挟んで対向する１対のＵ字状土手部３４，３４によって構成されている。Ｕ字状土手部３４の裏側は、Ｕ字状凹部３７となっていて、谷部３３の裏側は、Ｕ字状凹部３７，３７を区画する区画突部３６となっている（図３参照）。そして、下端凹部３５は、区画突部３６を挟んで対向する１対のＵ字状凹部３７，３７によって構成されている。なお、図６に示されるように、下端凹部３５の深さは、上端突部２５の高さよりも大きくなっている。
【００２６】
図２に示されるように、下フランジ部３１の各コーナー部には、隆起部３２から水平方向の外側に延びる溝形壁３８が形成されている。そして、図４に示されるように、溝形壁３８の内側部分が、下端凹部３５と容器１０の外部を連通させる連通溝３８Ｍとなっている。
【００２７】
図５及び図６に示されるように、本実施形態の容器１０は、上下に段積み可能に構成されている。図６に示されるように、容器１０が段積みされると、上側の容器１０の底壁１１が下側の容器１０の開口１０Ａに受容され、上側の容器１０の下フランジ部３１が下側の容器１０の上フランジ部２１の上に重ねられる。そして、下側の容器１０の開口１０Ａが上側の容器１０の底部（具体的には、底壁１１と下フランジ部３１）によって閉塞される。このとき、下側の容器１０の上フランジ部２１の上端突部２５が上側の容器１０の下フランジ部３１の下端凹部３５に受容され、上端突部２５と下端凹部３５が上下方向で凹凸係合する。
【００２８】
ここで、外周壁１５の上端部には、外周壁１５の内周面の上側を外側に拡径する段差１５Ｄが設けられている。そして、容器１０が段積みされた状態で、上側の容器１０における底壁１１の外縁部（具体的には、下方突部１３の下端外周壁１３Ａ）が下側の容器１０における外周壁１５の段差１５Ｄの上方に配置される。このように、本実施形態の容器１０では、外周壁１５に段差１５Ｄが設けられることによって、上側に段積みされる容器１０の底壁１１との干渉を回避しつつ、外周壁１５の鉛直方向に対する傾斜を小さくすることが可能となっている。
【００２９】
なお、底壁１１における下方突部１３の下端面の外周部には、外側へ向かうに従って上側へ向かう傾斜部１３Ｋが設けられている。傾斜部１３Ｋは、段積み状態における上側の容器１０の底壁１１と下側の容器１０の外周壁１５（詳細には、外周壁１５の段差１５Ｄ）との干渉の回避に寄与している。
【００３０】
ところで、容器１０が何回か使用されると、その容器１０は洗浄される。洗浄後の容器１０は、回転脱水機にかけられる。ここで、洗浄後の容器１０が複数存在すると、それら複数の容器１０は、段積み状態で回転脱水機にかけられる。このとき、下側の容器１０の内側空間が完全に閉じられると、下側の容器１０の内側空間に残った水分を外部に排出することが困難になるという問題が考えられる。この問題を解決するため、本実施形態の容器１０では、図７及び図８に示されるように、段積み状態のときに、上側の容器１０の下フランジ部３１と下側の容器１０の上フランジ部２１との間に下側の容器１０の内側空間を外部に連通させる隙間４１が形成される。この隙間４１は、下側の容器１０の上端突部２５に設けられた上端切欠部２８と、上側の容器１０の下フランジ部３１に設けられた連通溝３８Ｍと、によって形成される。
【００３１】
図９に示されるように、下側の容器１０の上端切欠部２８と上側の容器１０の連通溝３８Ｍとは、容器１０の周方向で同じ位置に配置されていて、上端切欠部２８と連通溝３８Ｍは、連通溝３８Ｍの延在方向で重なる。従って、隙間４１は、容器１０の内外方向で直線状に形成される（図７及び図８参照）。なお、図９では、上側の容器１０が灰色で示されている。
【００３２】
図１０に示されるように、外周壁１５のコーナー部は、Ｒ形状に形成されている。また、下方突部１３のコーナー部も、Ｒ形状に形成されている。下方突部１３のコーナー部のＲは、外周壁１５のコーナー部のＲよりも大きくなっている。そして、本実施形態では、下方突部１３のコーナー部が、外周壁１５のうち段差１５Ｄより下側に配置される部分よりも内側に配置される。本実施形態によれば、段積み状態における下側の容器１０の内側部分（特に、段差１５Ｄより下側に配置される部分）と上側の容器１０の下端凹部３５とが、容器１０のコーナー部で鉛直方向に連絡され、下側の容器１０の内側空間に残る水分を上側の容器１０の下端凹部３５まで移動させ易くなる。しかも、下方突部１３の外周部に設けられた傾斜部１３Ｋが下方突部１３の外側へ向かうにつれて上方へ向かうように傾斜しているので、下側の容器１０の内側部分に残る水分を上側の容器１０の下端凹部３５へと誘導し易くなっている。
【００３３】
本実施形態の容器１０の構成に関する説明は以上である。なお、本実施形態では、上端突部２５と下端凹部３５が本発明の「係合突部」と「係合凹部」に相当し、上端切欠部２８と連通溝３８Ｍが本発明の「第１隙間形成部」と「第２隙間形成部」に相当する。
【００３４】
次に、本実施形態の容器１０の作用効果について説明する。本実施形態では、容器１０が複数段積みされたときに、上側の容器１０の下フランジ部３１と下側の容器１０の上フランジ部２１との間に、下側の容器１０の内側空間を外部に連通させるための隙間が形成されるので、下側の容器１０内に残った水分が乾燥しやすくなる。このように、本実施形態の容器１０によれば、洗浄後の乾燥が容易となる。しかも、上記隙間は、段積み状態の容器１０を回転脱水機にかけたときに水分が溜まりやすいコーナー部に形成されるので、回転脱水機で乾燥する際に容器１０内に残る水分を排出し易くなる。また、上下に段積み可能な容器１０では、外周壁１５が上側へ向かうにつれて外側へ広がるように傾斜しているので、回転脱水機で乾燥すると、容器１０内の水分が外周壁１５を伝って上側へ移動する。そして、上記隙間を形成するための上端切欠部２８は、上フランジ部２１に設けられているので、容器１０内の水分を排出し易くなる。
【００３５】
また、本実施形態では、段積み状態において、下側の容器１０の上フランジ部２１に形成された上端突部２５と下側の容器１０の下フランジ部３１に形成された下端凹部３５の凹凸係合によって上側の容器１０の下側の容器１０に対する横ずれを抑制可能となる。しかも、上端突部２５と下端凹部３５に形成された上端切欠部２８と連通溝３８を介して、段積み状態において下側の容器１０内に残る水分を外部に排出することが可能となる。しかも、本実施形態では、上端切欠部２８と連通溝３８が容器１０の内外方向で重なるので、容器１０内の水分をスムーズに排出することが可能となる。
【００３６】
また、本実施形態では、底壁１１（詳細には、下方突部１３）のコーナー部のＲが外周壁１５のコーナー部の上端部のＲより大きくなっているので、段積み状態において、上側の容器１０の下フランジ部３１と下側の容器１０の上フランジ部２１との間の隙間へと向かう水分の通り道が形成される。これにより、下側の容器１０内の水分をスムーズに排出することが可能となる。しかも、本実施形態では、外周壁１５の段差１５Ｄによって、外周壁１５の上端部が外方に広げられるので、上記隙間へ容器１０内の水分を誘導し易くなる。なお、本実施形態では、段積み状態のときに下側の容器１０の開口１０Ａ内に上側の容器１０の底部が受容される構成となっているが、外周壁１５の段差１５Ｄによって、下側の容器１０内の水分の通り道が確保されている。
【００３７】
［第２実施形態］
以下、本発明の第２実施形態を図面に基づいて説明する。図１１に示されるように、本実施形態の容器１０Ｖは、上端突部２５及び下端凹部３５（図１及び図３参照）を備えていない点が上記第１実施形態の容器１０と異なっている。容器１０Ｖでは、外周壁１５のコーナー部の上端部に、容器１０Ｖの内側空間を外部に連通させる連通溝２９Ｍが形成されている。
【００３８】
詳細には、容器１０Ｖでは、外周壁１５のコーナー部に、上端部が切り欠かれてなる上端切欠部１５Ｋが設けられている。また、上フランジ部２１のコーナー部には、上端切欠部１５Ｋから容器１０Ｖの内外方向の外側へ延びる上端隙間形成溝２１Ｍが形成されている。そして、上端切欠部１５Ｋと上端隙間形成溝２１Ｍとによって、連通溝２９Ｍが形成されている。なお、上端隙間形成溝２１Ｍは、上フランジ部２１のコーナー部を下方に陥没させることによって形成されている。
【００３９】
また、容器１０Ｖでは、下フランジ部３１のコーナー部に、容器１０Ｖの内外方向に延びる溝形壁３９が設けられている。溝形壁３９の内側部分は、下端隙間形成溝３９Ｍを構成する。なお、下端隙間形成溝３９Ｍにおける容器１０Ｖの内側の端部は、外周壁１５によって閉塞されている。
【００４０】
容器１０Ｖのその他の構成については、上記第１実施形態の容器１０と同様になっているので、同一の符号を付すことで説明を省略する。なお、本実施形態の容器１０Ｖでは、連通溝２９Ｍと下端隙間形成溝３９Ｍが本発明の「隙間形成部」を構成する。
【００４１】
図１２には、段積み状態の容器１０Ｖが示されている。容器１０Ｖが段積みされると、上側の容器１０Ｖの底壁１１が下側の容器１０Ｖの開口１０Ａに受容され、上側の容器１０Ｖの下フランジ部３１が下側の容器１０Ｖの上フランジ部２１と当接する。このとき、上側の容器１０Ｖの下フランジ部３１に形成された下端隙間形成溝３９Ｍと下側の容器１０Ｖの上フランジ部２１に形成された連通溝２９Ｍとが上下方向に重なり、上側の容器１０Ｖの下フランジ部３１と下側の容器１０Ｖの上フランジ部２１との間に、下側の容器１０Ｖの内側空間を外部に連通させる隙間４１Ｖが形成される。このように、容器１０Ｖでは、段積み状態において、下側の容器１０Ｖの内側空間を外部に連通させる隙間４１Ｖが形成されるので、容器１０Ｖ内に残った水分が乾燥しやすくなる。
【００４２】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００４３】
（１）上記実施形態では、本発明に係る「係合突部」が上フランジ部２１に設けられ、本発明に係る「係合凹部」が下フランジ部３１に設けられていたが、「係合突部」が下フランジ部３１に設けられ、「係合凹部」が下フランジ部３１に設けられてもよい。
【００４４】
（２）上記第１実施形態において、上端切欠部２８と連通溝３８Ｍが周方向でずれて配置されてもよい。即ち、上端切欠部２８と連通溝３８Ｍが容器１０の内外方向で重ならなくてもよい。
【００４５】
（３）上記第２実施形態の容器１０Ｖにおいて、図１３に示されるように、上フランジ部２１に連通溝２９Ｍを備えない構成としてもよいし、図１４に示されるように、下フランジ部３１に下側隙間形成溝３９Ｍを備えない構成としてもよい。何れの場合であっても、上記第１実施形態と同様の効果を奏することが可能となる。なお、図１３に示す例では、下側隙間形成溝３９Ｍが本発明の「隙間形成部」を構成し、図１４に示す例では、連通溝２９Ｍが本発明の「隙間形成部」を構成する。
【００４６】
（４）上記第２実施形態において、図１５に示されるように、外周壁１５の下端部に、下側隙間形成溝３９Ｍに連通する開口部４３Ｋが設けられ、開口部４３Ｋと下側隙間形成溝３９Ｍとによって、容器１０Ｖの内側部分を外部に連通させる連通溝４３が形成されてもよい。なお、本構成は、他の実施形態（３）の図１３の例に適用されてもよい（図１６参照）。
【００４７】
なお、本発明の技術的範囲には属しないが、上記実施形態において、隙間４１，４１Ｖが容器１０，１０Ｖのコーナー部以外に形成される構成としても、上記実施形態と同様の効果を奏することが可能である。
【符号の説明】
【００４８】
１０，１０Ｖ    容器
１１    底壁
１５    外周壁
２１    上フランジ部
２５    上端突部
２８    上端切欠部
３１    下フランジ部
３５    下端凹部
３８Ｍ    連通溝
【図１】
2018122917.tif 000003
【図２】
2018122917.tif 000004
【図３】
2018122917.tif 000005
【図４】
2018122917.tif 000006
【図５】
2018122917.tif 000007
【図６】
2018122917.tif 000008
【図７】
2018122917.tif 000009
【図８】
2018122917.tif 000010
【図９】
2018122917.tif 000011
【図１０】
2018122917.tif 000012
【図１１】
2018122917.tif 000013
【図１２】
2018122917.tif 000014
【図１３】
2018122917.tif 000015
【図１４】
2018122917.tif 000016
【図１５】
2018122917.tif 000017
【図１６】
2018122917.tif 000018